(57)【要約】      （修正有）【課題】遊技台上部の幕板に監視カメラを簡単に取り付けたり取り外したりすることができるカメラ取付金具を提供する。【解決手段】遊技台の上部に設けられる幕板１に、監視カメラ２が取り付けられているカメラ取付金具３を取り付ける。カメラ取付金具３は、第１及び第２部材１１，１２と、それらの間に設けられる一対の引張スプリングとを有する。第１及び第２部材１１，１２の間に幕板１を挟み込み、引張スプリングのスプリング力によって、それらの間に幕板１を弾性保持することで、幕板１に取り付ける。【選択図】図１
2014083273.tif 000002
【特許請求の範囲】
【請求項１】
遊技台の上部に設けられる幕板に、監視カメラを取り付けるのに用いられるカメラ取付金具であって、
前記監視カメラが取り付けられるカメラ被取付部を有し前記カメラ被取付部の一端側に前記幕板に係脱可能に係合する第１係合部が、他端側に被嵌合部がそれぞれ設けられている第１部材と、
前記第１部材の被嵌合部に一端部が移動可能に嵌め込まれ、他端部に前記幕板に係脱可能に係合する第２係合部が設けられている第２部材と、
前記第１部材と前記第２部材との間に設けられ前記第１及び第２係合部の間に前記幕板を挟持させる幕板挟持手段とを備えることを特徴とするカメラ取付金具。
【請求項２】
前記被嵌合部に、前記第１部材の長手方向に延びる案内部を有し、
前記第２部材は、前記第１部材の被嵌合部に前記一端部が移動可能に嵌め込まれた際に、前記案内部に移動可能に係合する移動部材を有する請求項１記載のカメラ取付金具。
【請求項３】
前記第１係合部は、前記幕板の正面側に位置する基板部の下縁から後方に延び前記幕板の下面に接触可能である下側水平部と、前記下側水平部の先端から上方に延び前記幕板の背面に接触可能である後側鉛直部とを有し、
前記第２係合部は、前記幕板の正面側に位置する基板部の上縁から後方に延び前記幕板の上面に接触可能である上側水平部と、前記上側水平部の先端から下方に延び前記幕板の背面に接触可能である後側鉛直部とを有する請求項１又は２記載のカメラ取付金具。
【請求項４】
前記第１部材及び第２部材は、それぞれ、前記各基板部の、前記第１及び第２係合部側の隅部に形成される固定用ねじ穴と、前記各固定用ねじ穴にねじ込まれる固定用ビスとを有し、
前記幕板への装着後、前記各固定用ビスをねじ込んで、前記各固定用ビスと前記各後側鉛直部との間に前記幕板を挟持することで前記幕板に固定される請求項１〜３のいずれか１つに記載のカメラ取付金具。
【請求項５】
前記各固定用ビスは、ねじ部の先端部分に設けられた幕板保護部材を有する請求項４に記載のカメラ取付金具。
【請求項６】
前記カメラ被取付部は、前記監視カメラを取付ビスにて取り付けるための取付穴と、前記監視カメラの配線を背面側に導く第１開口とを有し、
前記第２係合部は、前記上側水平部に、前記第１開口を通じて背面側に導かれた前記配線用の第２開口が設けられている請求項１〜５のいずれか１つに記載のカメラ取付金具。
【請求項７】
前記幕板挟持手段は、前記第１部材と前記第２部材との間に設けられ前記第２部材を、前記第１部材のカメラ被取付部側に付勢する引張スプリングを有し、
前記引張スプリングのスプリング力によって、前記第１及び第２係合部の間に前記幕板を挟持させる請求項１〜６のいずれか１つに記載のカメラ取付金具。
【発明の詳細な説明】
【技術分野】
【０００１】
本発明は、パチンコ台の幕板に監視カメラなどを取り付けるのに用いられるカメラ取付金具に関するものである。
【背景技術】
【０００２】
例えばパチンコ店などの遊技場には、監視カメラを使用した監視システムが、不正行為、犯罪の防止などを目的として設置されている。
【０００３】
そのような監視システムに使用される監視カメラは、通常、島（パチンコ台を並べて設置したブロック）と島との間に対応するように、土台となる壁や天井に取り付けられている（例えば特許文献１参照）。
【先行技術文献】
【特許文献】
【０００４】
【特許文献１】特開２００４−８８１５６号公報（段落００３６及び図２）
【発明の概要】
【発明が解決しようとする課題】
【０００５】
前記土台となる壁や天井などに取り付ける場合には、壁や天井などの土台に穴をあけ、監視カメラの取付部を取付ねじで固定するので、取付作業が面倒であり、簡単に取り付けることができない。
【０００６】
本発明は、遊技台上部の幕板に、幕板を損傷させることなく、監視カメラを簡単に取り付けたり取り外したりすることを可能とするカメラ取付金具を提供することを目的とする。
【課題を解決するための手段】
【０００７】
請求項１の発明は、遊技台の上部に設けられる幕板に、監視カメラを取り付けるのに用いられるカメラ取付金具であって、前記監視カメラが取り付けられるカメラ被取付部を有し前記カメラ被取付部の一端側に前記幕板に係脱可能に係合する第１係合部が、他端側に被嵌合部がそれぞれ設けられている第１部材と、前記第１部材の被嵌合部に一端部が移動可能に嵌め込まれ、他端部に前記幕板に係脱可能に係合する第２係合部が設けられている第２部材と、前記第１部材と前記第２部材との間に設けられ前記第１及び第２係合部の間に前記幕板を挟持させる幕板挟持手段とを備えることを特徴とする。
【０００８】
このカメラ取付金具によれば、土台となる壁や天井などに取付穴を設けることなく、幕板を損傷させることなく、遊技台の上部の幕板に監視カメラを簡単に取り付けたり取り外したりすることができる。よって、監視カメラの取付位置の変更が容易で、監視カメラを試験的に取り付け、取付位置のチェックなどを簡単に行うことができる。
【０００９】
請求項２に記載のように、前記被嵌合部に、前記第１部材の長手方向に延びる案内部を有し、前記第２部材は、前記第１部材の被嵌合部に前記一端部が移動可能に嵌め込まれた際に、前記案内部に移動可能に係合する移動部材を有する構成とすることができる。
【００１０】
このようにすれば、案内部と移動部材との係合関係で、幕板を挟んで保持する第１及び第２係合部の間隔の調整を容易に行うことができる。
【００１１】
請求項３に記載のように、前記第１係合部は、前記幕板の正面側に位置する基板部の下縁から後方に延び前記幕板の下面に接触可能である下側水平部と、前記下側水平部の先端から上方に延び前記幕板の背面に接触可能である後側鉛直部とを有し、前記第２係合部は、前記幕板の正面側に位置する基板部の上縁から後方に延び前記幕板の上面に接触可能である上側水平部と、前記上側水平部の先端から下方に延び前記幕板の背面に接触可能である後側鉛直部とを有する構成とすることができる。
【００１２】
このようにすれば、第１及び第２係合部を簡単に形成することができる。
【００１３】
請求項４に記載のように、前記第１部材及び第２部材は、それぞれ、前記各基板部の、前記第１及び第２係合部側の隅部に形成される固定用ねじ穴と、前記各固定用ねじ穴にねじ込まれる固定用ビスとを有し、前記幕板への装着後、前記各固定用ビスをねじ込んで、前記各固定用ビスと前記各後側鉛直部との間に前記幕板を挟持することで前記幕板に固定される構成とすることができる。
【００１４】
このようにすれば、幕板への固定を確実とすることができる。
【００１５】
請求項５に記載のように、前記各固定用ビスは、ねじ部の先端部分に設けられた幕板保護部材を有することが望ましい。
【００１６】
このようにすれば、固定用ビスの締め付けによる取り付けの際に、幕板を損傷するのが回避される。
【００１７】
請求項６に記載のように、前記カメラ被取付部は、前記監視カメラを取付ビスにて取り付けるための取付穴と、前記監視カメラの配線を背面側に導く第１開口とを有し、前記第２係合部は、前記上側水平部に、前記第１開口を通じて背面側に導かれた前記配線用の第２開口が設けられていることが望ましい。
【００１８】
このようにすれば、監視カメラの配線が見えないように無理なく取り付けることができる。
【００１９】
請求項７に記載のように、前記幕板挟持手段は、前記第１部材と前記第２部材との間に設けられ前記第２部材を、前記第１部材のカメラ被取付部側に付勢する引張スプリングを有し、前記引張スプリングのスプリング力によって、前記第１及び第２係合部の間に前記幕板を挟持させるようにすることが望ましい。
【００２０】
このようにすれば、引張スプリングのスプリング力を利用して、幕板を挟持させることが簡単に実現できる。
【発明の効果】
【００２１】
本発明は、土台となる壁や天井などに取付穴を設けることなく、遊技台の上部の幕板に、幕板を損傷させることなく、監視カメラを簡単に取り付けたり取り外したりすることができる。
【図面の簡単な説明】
【００２２】
【図１】図１は本発明の実施の形態に係るカメラ取付金具を用いて、監視カメラを取り付けた状態を示す説明図である。
【図２】前記監視カメラを取り付けた状態のカメラ取付具を示し、（ａ）は正面図、（ｂ）は背面図である。
【図３】第１部材を示し、（ａ）は正面図、（ｂ）は背面図である。
【図４】第１部材を示し、（ａ）は平面図、（ｂ）は底面図である。
【図５】第２部材を示し、（ａ）は正面図、（ｂ）は背面図である。
【図６】第２部材を示し、（ａ）は平面図、（ｂ）は底面図である。
【図７】（ａ）は固定用ビスの説明図、（ｂ）は幕板保護部材の説明図、（ｃ）固定用ビスに保護部材が取り付けられた状態の説明図である。
【図８】第１及び第２部材と、引張スプリングとの関係の説明図である。
【図９】引張スプリングの取付状態の説明図である。
【発明を実施するための形態】
【００２３】
以下、本発明の実施の形態を図面に沿って説明する。
（基本構造）
図１は本発明の実施の形態に係るカメラ取付金具を用いて、監視カメラを取り付けた状態を示す説明図、図２は前記監視カメラを取り付けた状態のカメラ取付具を示し、（ａ）は正面図、（ｂ）は背面図である。
【００２４】
図１及び図２に示すように、遊技台（例えば、パチンコ台）の上部に設けられる幕板１に、監視カメラ２（例えば、（株）エイ・エム・ケイ製のミニドームカメラ）が固定されたカメラ取付金具３を取り付けることで、幕板１に監視カメラ２が取り付けられる。
【００２５】
カメラ取付金具３は、第１及び第２部材１１，１２と、それらの間に設けられ第２部材１２を、第１部材１１（後述のカメラ被取付部１４）側に付勢する一対の引張スプリング１３（幕板挟持手段）とを有する。この引張スプリング１３のスプリング力によって、第１及び第２部材１１，１２の間に幕板１を弾性的に挟み込み、幕板１にカメラ取付金具３を介して監視カメラ２が取り付けられる。
（第１部材１１の構造）
図３及び図４は第１部材を示し、図３（ａ）は正面図、図３（ｂ）は背面図、図４（ａ）は平面図、図４（ｂ）は底面図である。
【００２６】
図３及び図４に示すように、第１部材１１は、監視カメラ２が取り付けられるカメラ被取付部１４を有し、このカメラ被取付部１４の一端部が、幕板１の下側部分に係脱可能に係合する第１係合部１４Ａを形成している。カメラ被取付部１４の他端側には、第２部材１２が移動可能に嵌め込まれる被嵌合部１５が設けられている。よって、第１係合部１４Ａを含むカメラ被取付部１４の他端側に被嵌合部１５が接合されて、第１部材１１となる。
【００２７】
カメラ被取付部１４は、矩形状の基板部１４ａと、基板部１４ａの左右側縁から後方に延びる左右の側板部１４ｂ，１４ｂと、基板部１４ａの下縁から後方に延びる下側水平部１４ｃと、この下側水平部１４ｃの先端縁中央部分から屈曲して鉛直上方に延びる後側鉛直部１４ｄとを有する。
【００２８】
この下側水平部１４ｃは左右の側板部１４ｂよりも後方に延び、幕板１への取付状態では幕板１の下側部分が、側板部１４ｂの下側部分（後縁）と後側鉛直部１４ｄとの間に位置することになる。よって、左右の側板部１４ｂ（基板部１４ａ）の下側部分、下側水平部１４ｃ及び後側鉛直部１４ｄによって、第１係合部１４Ａが構成される。
【００２９】
基板部１４ａには、監視カメラ２を取付ビス（図示せず）にて取り付けるための取付穴１６と、監視カメラ２の配線２ａを背面側に導く第１開口１７とが設けられている。取付穴１６は、第１開口１７よりも径が小さく、第１開口１７の周囲に３つ設けられている。また、基板部１４Ａの下部隅部（第１係合部１４Ａ側の隅部）には、固定用ビス２５にてカメラ取付金具３を固定するための固定用ねじ穴１８が設けられている。
【００３０】
被嵌合部１５は、矩形状の基板部１５ａと、基板部１５ａの左右側縁から後方に延びる左右の側板部１５ｂ，１５ｂと、左右の側板部１５ｂの先端縁から互いに中央側に延びる左右の後側板部１５ｃ，１５ｃとを有する。
【００３１】
基板部１５ａの左右方向中央部分には、第１部材１１の長手方向に延びる案内スリット部１５ａａ（案内部）が形成され、この案内スリット部１５ａａは、カメラ被取付部１４に接合される部分に形成される開口部１５ａｂに連通している。この開口部１５ａｂは、引張スプリング１３の一端を引っ掛けるスプリングフック１５ａｃを切り起こして形成した際に、形成されたものである。なお、案内部１５ａａの開放端部には、後述する移動ピン２１（移動部材）が、案内スリット部１５ａａから飛び出さないようにストッパ１９が設けられている。
（第２部材１２の構造）
図５及び図６は第２部材を示し、図５（ａ）は正面図、図５（ｂ）は背面図、図６（ａ）は平面図、図６（ｂ）は底面図である。
【００３２】
図５及び図６に示すように、第２部材１２は、矩形状の基板部１２ａと、この基板部１２ａの左右側縁から後方に延びる左右の側板部１２ｂ，１２ｂと、基板部１２ａの上縁から後方に延びる上側水平部１２ｃと、上側水平部１２ｃの先端縁中央部分から屈曲して下方に延びる後側鉛直部１２ｄとを有する。左右の側板部１２ｂは、上側部分の一部を除き、後側縁から互いに中央側に延びる下側後縁部１２ｅ，１２ｅを有する。この第２部材１２の下側部分（下側後縁部１２ｅ，１２ｅがある部分）が、第１部材１１の上側部分である被嵌合部１５の外側に移動可能に嵌め込まれるようになっている。そして、左右の側板部１２ｂの上側部分と、上側水平部１２ｃと、後側鉛直部１２ｄとによって第２係合部１２Ａが形成されている。
【００３３】
基板部１２ａの下部には取付穴１２ａａが設けられ、この取付穴１２ａａに、案内スリット部１５ａａに移動可能に係合する移動部材である移動ピン２１（図１参照）が取り付けられている。よって、被嵌合部１５の外側に沿って第２部材１２を移動させる際に、移動ピン２１は案内スリット部１５ａａに沿って移動することになる。
【００３４】
また、基板部１２ａの上部には、引張スプリング１３の他端が引っ掛けられるスプリングフック１２ａｂ，１２ａｂが、切り起こしによって形成されている。なお、上部隅部（第２係合部１２Ａ側の隅部）には、固定用ビス２５にてカメラ取付金具３を取り付けるための固定用ねじ穴１２ａｃ，１２ａｃが設けられている。
【００３５】
上側水平部１２Ｃには、矩形状の幕板保護クッション２２が、配線用の第２開口２３（図１においては省略）と並んで設けられている。
（固定用ビス２５）
図７（ａ）は固定用ビスの説明図、図７（ｂ）は保護部材の説明図、図７（ｃ）固定用ビスに保護部材が取り付けられた状態の説明図である。
【００３６】
固定用ビス２５は、図７（ａ）に示すように、頭部２５ａと、ねじ部２５ａとを有する。このねじ部２５ｂの先端部分には、図７（ｂ）に示す円柱形状の幕板保護部材２６（中心ねじ穴２６ａ）がねじ込まれて、取り付けられる。つまり、固定用ビス２５が第１及び第２部材１１，１２に取り付けられた状態では、図７（ｃ）に示すように、ねじ部２５ｂの先端に幕板保護部材２６が取り付けられる。これにより、固定用ビス２５をねじ込んで固定する際には、幕板保護部材２６（例えば合成樹脂製）が幕板１に直接接触することになり、幕板１の損傷が回避される。
（カメラ取付金具３の組立）
図８は第１及び第２部材と、引張スプリングとの関係の説明図、図９は引張スプリングの取付状態の説明図である。
【００３７】
図８に示すように、第１部材１１の上側部分である被嵌合部１５に対し、第２部材１２をＡ方向にスライド移動させて、移動可能に嵌め込む。
【００３８】
それから、引張スプリング１３の一端部をスプリングフック１５ａｃに、他端部をスプリングフック１２ａｂに係止させ、第１及び第２部材１１，１２を、引張スプリング１３を介して結合する。そして、取付穴１２ａａに対し移動ピン２１を貫通させて取り付け、その移動ピン２０が案内スリット部１５ａａに沿って移動可能とする。これにより、係合部１４Ａ，１２Ａ間の間隔を、幕板１の高さ（上下方向の長さ）に応じて調整することができるようになる。
【００３９】
その後、図９に示すように、固定用ビス２５及び幕板保護部材２６を固定用ねじ穴１８，１２ａｃに取り付けてカメラ取付金具３とする。
（幕板１への取付手順）
第１部材１１から第２部材１２を、スプリング１３のスプリング力に抗して引っ張り、第１及び第２係合部材１１，１２における係合部１４Ａ，１２Ａ間の間隔を広くし、係合部１４Ａ，１２Ａ間に幕板１を嵌め込む。
【００４０】
幕板１を嵌め込むと、手を離すことで、スプリング１３のスプリング力によって両係合部１４Ａ，１２Ａが、それぞれ幕板１の上下部に嵌り込む。
【００４１】
この状態で、固定用ビス２５をねじ込むことで、後側鉛直部１２ｄ，１４ｄと固定用ビス２５先端の幕板保護部材２６との間に幕板１を挟み込み、幕板１にカメラ取付金具３を介して監視カメラ２を固定することができる。
（カメラ取付金具３を用いることによる作用効果）
引張スプリング１３のスプリング力によって、第１及び第２係合部１４Ａ，１２Ａの間に幕板１を挟み、幕板１を弾性的に保持することができる。このカメラ取付金具３を用いることで、壁や天井などに監視カメラ２を取り付けるための取付穴を予め設けることなく、遊技台上部の幕板１に、幕板１を損傷させることなく、監視カメラ２を簡単に取り付けることができ、取り外しも容易である。よって、監視カメラ２の取付位置の変更が容易で、監視カメラ２を試験的に取り付けたり取り外したりすることも簡単に行うことができる。
【００４２】
また、第１開口１７を利用して、監視カメラ２の配線２ａを背面側に配置し、正面側からは、監視カメラ２から延びる配線２ａが見えないようにして幕板１に取り付けることができる。
【００４３】
なお、本明細書で使用している用語と表現は、あくまでも説明上のものであって、なんら限定的なものではなく、本発明の技術思想の範囲内で、種々の変形態様が可能であるこということはいうまでもない。
【００４４】
例えば、引張スプリング１３のスプリング力で幕板１を保持させるのではなく、ねじをねじ込む際の締め付け力を利用して幕板１を保持させるようにすることも可能である。一例として、第２部材１２側に、取付ねじが挿通される取付穴部を設ける一方、第１部材１１側に、前記取付穴部に対応して設けられ前記取付ねじがねじ込まれるねじ穴部を設けるようにすればよい。このようにすれば、第１及び第２係合部１４Ａ，１２Ａの間に幕板１を挟み込んだ状態で、前記取付ねじを前記取付穴部を通じて前記ねじ穴部にねじ込む（このねじ込み方向は幕板１に取り付けた状態で鉛直方向）ことで、第１及び第２係合部１４Ａ，１２Ａの間隔を狭めることができるので、結果として幕板１を挟み込んで保持させることができる。
【符号の説明】
【００４５】
１    幕板
２    監視カメラ
２ａ    配線
３    カメラ取付金具
１１    第１部材
１２    第２部材
１２Ａ    第２係合部
１２ａａ    取付穴
１２ａｂ    スプリングフック
１２ａｃ    固定用ねじ穴
１２ｂ    側板部
１２ｃ    上側水平部
１２ｄ    後側鉛直部
１２ｅ    下側後縁部
１３    引張スプリング
１４    カメラ被取付部
１４Ａ    第１係合部
１４ａ    基板部
１４ｂ    側板部
１４ｃ    下側水平部
１４ｄ    後側鉛直部
１５    被嵌合部
１５ａ    基板部
１５ａａ    案内スリット部
１５ａｂ    開口
１５ａｃ    スプリングフック
１５ｂ    側板部
１５ｃ    後側板部
１６    取付穴
１７    第１開口
１８    固定用ねじ穴
２１    移動ピン（移動部材）
２３    第２開口
２４    幕板保護クッション
２５    固定用ビス
２５ａ    頭部
２５ｂ    ねじ部
２６    幕板保護部材
２６ａ    中心ねじ穴
【図１】
2014083273.tif 000003
【図２】
2014083273.tif 000004
【図３】
2014083273.tif 000005
【図４】
2014083273.tif 000006
【図５】
2014083273.tif 000007
【図６】
2014083273.tif 000008
【図７】
2014083273.tif 000009
【図８】
2014083273.tif 000010
【図９】
2014083273.tif 000011